(57)【要約】【課題】電動機内に侵入した漏水が、回転子に当たって飛沫が生じても飛沫が固定子を濡らすことがない電動機と、該電動機を備えるディスポーザを提供する。【解決手段】固定子２０と、固定子２０の内側に配置されて、垂直軸回りに回転する回転子２１と、固定子２０と回転子２１の間に配置されて、漏水が固定子２０を濡らすことを防ぐ制水部材３５を備える電動機１３であって、制水部材３５は、固定子２０と回転子２１の間に配置された制水円筒３６と、回転子２１の上方を覆うとともに、中心部に回転子２１の回転軸２２を通す開口３７ｄを有し、外径部が、制水円筒３６の内面に水密に接続されている制水円板３７ｂを備える。【選択図】図２
2018007504.tif 000002
【特許請求の範囲】
【請求項１】
ケーシングと、
前記ケーシングの内部に固定された固定子と、
前記ケーシングの内部において、前記固定子の内側に配置されて、垂直軸回りに回転する回転子と、  
前記固定子と前記回転子の間に配置されて、前記ケーシングの内部に侵入した漏水が前記固定子を濡らすことを防ぐ制水部材を備える電動機であって、
前記制水部材は、
前記固定子と前記回転子の間に配置された、前記回転子の回転中心を中心軸とする制水円筒と、
前記回転子の上方を覆うとともに、中心部に前記回転子の回転軸を通す開口を有し、外径部が、前記制水円筒の内面に水密に接続されている制水円板を備えている、
電動機。
【請求項２】
前記制水円板の前記開口の直径は、前記ケーシングの上部に取り付けられて前記回転子の回転軸を軸支する軸受の外径よりも小さい、
請求項１に記載の電動機。
【請求項３】
前記制水円板は、前記外径部から前記開口に向かって下る円錐状傾斜面を備えている、
請求項１又は請求項２に記載の電動機。
【請求項４】
前記制水円筒の上端は、前記固定子の上端よりも高い位置にある、
請求項１ないし請求項３のいずれか一項に記載の電動機。
【請求項５】
前記制水円筒の下端は、前記固定子の下端よりも低い位置にある、
請求項１ないし請求項４のいずれか一項に記載の電動機。
【請求項６】
前記制水部材は、絶縁材料で構成されている、
請求項１ないし請求項５のいずれか一項に記載の電動機。
【請求項７】
請求項１ないし請求項６のいずれか一項に記載の電動機を備えて、該電動機で駆動される、
ディスポーザ。
【発明の詳細な説明】
【技術分野】
【０００１】
本発明は、電動機、及び該電動機を備えるディスポーザに関する。
【背景技術】
【０００２】
ディスポーザは、キッチンのシンクの下に配置されて、シンクから投入される厨芥を粉砕し、水と混合して排出する装置（例えば、特許文献１）である。ディスポーザを駆動する電動機はディスポーザの下部に取り付けられていて、電動機の出力軸は、厨芥を粉砕する処理室の内部に突出している。また、電動機の出力軸が処理室の底板を貫通する部分には軸シールを備えて、処理室からの漏水を防止している。しかしながら、長期の使用の結果、軸シールが摩耗して処理室内の水が漏れて、電動機の内部に侵入することがある。電動機の中に漏水が侵入すると、漏電や感電の危険が生じる。そのため、ディスポーザは、アース接続（接地）することが求められている（例えば、特許文献２）。また、ディスポーザに漏電ブレーカを接続することが求められている（例えば、特許文献３）。
【０００３】
しかしながら、ディスポーザの使用を前提に設計された新築家屋ならともかく、既存の家屋のシンクにディスポーザを設置する場合は、近くにアース端子が存在しないことが多いので、アース接続工事に手間がかかるという問題がある。また、ディスポーザ本体価格と取付工事費の２〜３割に相当する費用がアース接続工事費として追加的に必要になるので、需要者の負担が大きいという問題がある。また、アース接続すれば、感電の危険は回避できるが、水濡れによって生じるディスポーザの故障等は回避できないという問題がある。
【０００４】
そこで、本願の発明者らは、回転子と固定子の間に円筒状の制水部材を配置して、電動機の内部に侵入した漏水が、制水部材で囲まれた空間を通って電動機の下部に流れて、電動機の下部から電動機の下方に排出されるようにした電動機を発明して、特許出願（特願２０１４−７６４４５（以下、「先願」と言う））している。この先願に係る電動機においては、電動機の内部に侵入した漏水の大部分は、固定子を濡らすことなしに、電動機の外部に排出される。そのため、固定子の水濡れに起因する故障を予防することができる。また、制水部材を絶縁性の材料で構成すれば、回転子が水濡れしても、固定子と回転子の間に導通が生じることがない。
【先行技術文献】
【特許文献】
【０００５】
【特許文献１】特開平９−１２２５２６号公報
【特許文献２】特表２００６−５２０２６６号公報
【特許文献３】特開２００７−４３６１７号公報
【発明の概要】
【発明が解決しようとする課題】
【０００６】
しかしながら、電動機の内部への漏水の侵入は、ディスポーザの運転中に生じるので、電動機の上方から電動機の内部に侵入した漏水は回転中の回転子に当たって、遠心力で弾かれて飛沫になる。そして、弾かれた飛沫は飛散して、制水部材の上縁を越えて、固定子が置かれた空間に侵入し、固定子を濡らすことがある。１回の運転で侵入する飛沫の量は僅かであっても、飛沫の侵入が繰り返されると、電動機に故障が生じる場合がある。例えば、固定子の巻線の絶縁材が劣化して、絶縁破壊が生じる恐れがある。このように、先願に係る電動機においては、漏水による固定子の水濡れを完全には防ぐことができないという問題があった。
【０００７】
本発明は、このような事情に鑑みてなされたものであり、電動機の上方から電動機の内部に侵入した漏水が、回転子に当たって飛沫が生じても飛沫が固定子を濡らすことがない電動機と、該電動機を備えるディスポーザを提供することを目的とする。
【課題を解決するための手段】
【０００８】
上記課題を解決するため、本発明に係る電動機は、ケーシングと、前記ケーシングの内部に固定された固定子と、前記ケーシングの内部において、前記固定子の内側に配置されて、垂直軸回りに回転する回転子と、前記固定子と前記回転子の間に配置されて、前記ケーシングの内部に侵入した漏水が前記固定子を濡らすことを防ぐ制水部材を備える電動機であって、前記制水部材は、前記固定子と前記回転子の間に配置された、前記回転子の回転中心を中心軸とする制水円筒と、前記回転子の上方を覆うとともに、中心部に前記回転子の回転軸を通す開口を有し、外径部が、前記制水円筒の内面に水密に接続されている制水円板を備えるものである。
【０００９】
前記制水円板の前記開口の直径は、前記ケーシングの上部に取り付けられて前記回転子の回転軸を軸支する軸受の外径よりも小さくされても良い。
【００１０】
前記制水円板は、前記外径部から前記開口に向かって下る円錐状傾斜面を備えるようにしても良い。
【００１１】
前記制水円筒の上端は、前記固定子の上端よりも高い位置にあるようにしても良い。
【００１２】
前記制水円筒の下端は、前記固定子の下端よりも低い位置にあるようにしても良い。
【００１３】
前記制水部材は、絶縁材料で構成されるようにしても良い。
【００１４】
本発明に係るディスポーザは、上記いずれかの電動機を備えて、該電動機で駆動されるものである。
【発明の効果】
【００１５】
本発明に係る電動機は、制水円筒と制水円板を備えているので、電動機の内部に侵入した漏水が回転子に弾かれて、飛沫が生じた場合に、固定子が配置された区画への飛沫の飛散を防ぐことができる。そのため、固定子が飛沫を浴びないので、固定子の濡れに起因する不具合に発生が抑制される。また、制水円筒と制水円板を絶縁材料で構成することにより、漏水が侵入しても固定子と回転子の間に導通が生じない電動機が得られる。そのため、漏電や感電の発生が防止される。
【００１６】
本発明に係るディスポーザは、前記の電動機を備えているので、処理室と電動機の間を水密に封止するシールが損傷して、電動機が水を被ることがあっても、電動機の故障が発生しにくい。  
【図面の簡単な説明】
【００１７】
【図１】本発明の実施形態を例示するディスポーザの断面図である。
【図２】図１の部分拡大図であって、電動機の詳細な構成を示す断面図である。
【図３】図２に記載の電動機が備える制水円筒の形状を示す斜視図である。
【図４】図２に記載の電動機が備える飛沫避け部材の形状を示す斜視図である。
【発明を実施するための形態】
【００１８】
以下、本発明を実施するための形態を、図面を参照しながら説明する。
【００１９】
図１は、本発明の実施形態に係るディスポーザ１を断面図示して、その構成を説明する図である。ディスポーザ１はシンク２の下方に取り付けられて、シンク２から排出される厨芥（図示せず）を粉砕して水とともに排出する装置であり、取付フランジ３、連結管４及びディスポーザ本体５を備えている。
【００２０】
取付フランジ３はシンク２の排水口に挿入されるプラスチック製の部品であって、ナット６で締め上げられてシンク２に固定される。取付フランジ３の素材は、特に限定されないが、電気的絶縁性と相応の機械的強度を有する素材、例えばＡＢＳ樹脂が選ばれる。連結管４は取付フランジ３とディスポーザ本体５を連結するゴム製の部品であって、金属製のバンド７で緊迫されて、取付フランジ３とディスポーザ本体５に固定される。
【００２１】
ディスポーザ本体５の最上部には、処理室カバー８と処理室ブラケット９が配置されて、処理室１０を構成している。つまり処理室１０は、処理室カバー８と処理室ブラケット９で囲まれた空間である。処理室１０の内部には固定歯１１と回転歯１２が配置され、回転歯１２は電動機１３によって回転駆動される。シンク２に投入された厨芥（図示せず）と水は、取付フランジ３を通って処理室１０に入り、固定歯１１と回転歯１２に挟まれて粉砕され、水と混合されてスラリーとなって排出管１４から排出される。なお、処理室カバー８及び処理室ブラケット９の素材も、特に限定されないが、電気的絶縁性と相応の機械的強度を有する素材、例えばＡＢＳ樹脂が選ばれる。
【００２２】
前述したように、電動機１３は回転歯１２を回転駆動するモータであって、処理室ブラケット９に固定されている。電動機１３の固定は、電動機１３を貫通するボルト１５を処理室ブラケット９に鋳込まれたナット１６に螺合させて行う。処理室ブラケット９の素材は電気的絶縁性を有するので、ボルト１５あるいはナット１６と処理室ブラケット９の間に導通は生じない。なお、図１では、繁雑を避けるために、ボルト１５とナット１６を１組だけ描いているが、ディスポーザ１は、３組以上のボルト１５とナット１６を備えている。電動機１３を安定して保持するためである。
【００２３】
電動機１３は、フレーム１７、負荷側ブラケット１８及び反負荷側ブラケット１９で構成されるハウジングの内部に固定子２０と回転子２１を配置して、構成されている。フレーム１７は電動機１３の外殻を構成する鋼製の円筒である。負荷側ブラケット１８と反負荷側ブラケット１９は、回転子２１を支持するとともに、フレーム１７の上下端を塞ぐ「蓋」として機能する部品である。負荷側ブラケット１８と反負荷側ブラケット１９は、絶縁性のプラスチックを素材としている。回転子２１の回転軸２２は、ベアリング２３を介して負荷側ブラケット１８に回転自在に支持され、ベアリング２４を介して反負荷側ブラケット１９に回転自在に支持されている。なお、負荷側ブラケット１８と反負荷側ブラケット１９の素材も特に限定されないが、処理室ブラケット９等と同様に、電気的絶縁性と相応の機械的強度を有する素材、例えばＡＢＳ樹脂が選ばれる。
【００２４】
回転子２１の回転軸２２は、負荷側ブラケット１８を貫通して電動機１３の外に突出し、更に処理室ブラケット９を貫いて、処理室１０の内部に突出して、そこで、回転歯１２と結合されている。処理室ブラケット９と回転軸２２の間には２枚の回転軸シール２５が上下に重ねて装着されて、処理室１０からの漏水を封止している。回転軸２２には、処理室ブラケット９と負荷側ブラケット１８の間において、鍔部材２６が嵌装されている。鍔部材２６は円環状の平面形を有する、刀の鍔に似た部品であって、上方から見た場合にベアリング２３を覆うような寸法と形状を有している。また、回転軸２２の下部には、別の鍔部材２７が嵌装されている。鍔部材２７も円環状の平面形を有する、刀の鍔に似た部品であって、上方から見た場合にベアリング２４を覆うような寸法と形状を有している。鍔部材２６と鍔部材２７の作用については後述する。
【００２５】
電動機１３の外側には電動機カバー２８が装着されている。電動機カバー２８は処理室ブラケット９に固定されて、電動機１３の全体を覆う容器である。また、電動機カバー２８の下面には水受け皿２９が取り付けられている。水受け皿２９の作用については後述する。
【００２６】
次に、図２を参照して、電動機１３の詳細な構成を説明する。電動機１３の固定子２０は、回転子２１と同心に配置されて、回転子２１を取り囲む電磁石である。固定子２０は、図２に示すように、固定子鉄心３０と巻線３１とから構成される。回転子２１は、回転子鉄心３２に永久磁石３３を放射状に配置して構成される。したがって、固定子２０には電力が供給されるが、回転子２１には電力は供給されない。また、回転子２１には、回転子２１を上下に貫く水抜き穴３４が形成されている。
【００２７】
固定子２０と回転子２１の間には、制水部材３５が配置されている。制水部材３５は、制水円筒３６と飛沫避け部材３７とで構成される。図３に示すように、制水円筒３６は、円筒状の部材であって、上部と下部において円筒の直径が変化し、中間部（固定子鉄心３０と対面する部位）において円筒の直径が一定になるように構成されている。また、制水円筒３６の上端部３６ａは外側に折り曲げられ、下端部３６ｂは内側に折り曲げられている。
【００２８】
飛沫避け部材３７は、図４に示すように、接続円筒部３７ａと制水円板３７ｂを備え、接続円筒部３７ａと制水円板３７ｂは接続円筒部３７ａの上端３７ｃにおいて互いに接合されている。制水円板３７ｂは、中心部に向かうに従って下に下がる傾斜を有していて、中心部には開口３７ｄが形成されている。つまり、制水円板３７ｂは上端３７ｃから開口３７ｄに向かって下る円錐状傾斜面を有している。制水円板３７ｂは円錐状傾斜面を有しているので、水抜き穴３９から制水円板３７ｂ上に落下した漏水は、円錐状傾斜面を流れて、開口３７ｄに導かれる。なお、以下、本明細書においては、開口３７ｄの輪郭を形成する円周を制水円板３７ｂの内径と呼び、制水円板３７ｂの外周円、つまり接続円筒部３７ａの上端３７ｃによって描かれる円周を制水円板３７ｂの外径と呼ぶことにする。
【００２９】
図２に戻って、制水部材３５（制水円筒３６、飛沫避け部材３７）の構成の説明を続ける。図２に示すように、制水円筒３６の上端部３６ａは、固定子２０の上端（巻線３１の上端）より高い位置にあり、下端部３６ｂは、固定子２０の下端（巻線３１の下端）より低い位置にある。このように、制水円筒３６は、巻線３１を含む固定子２０の高さ方向の全範囲を覆って、漏水による固定子２０の濡れを防いでいる。また、制水円筒３６は、上に行くに従って直径が大きくされていて、上端部３６ａが固定子２０（巻線３１）に覆い被さるような形状を備えている。飛沫避け部材３７は、接続円筒部３７ａの外面が制水円筒３６の内面と面接触するように構成されていて、制水円筒３６に接着固定されている。また、飛沫避け部材３７は、その上端３７ｃが制水円筒３６の上端部３６ａよりも低くなるように、制水円筒３６に取り付けられている。なお、制水円板３７ｂの内径部の直径（開口３７ｄの直径）はベアリング２３の外径よりも小さくされている。そして、制水円板３７ｂは回転子２１の上方にあって、回転子２１の大部分を覆っている。
【００３０】
制水部材３５の素材は特に限定されないが、電気的絶縁性があって、薄肉成形が容易であって、しかも相応の機械的強度を有する素材、例えばＡＢＳ樹脂が選ばれる。本実施形態においては、制水部材３５（制水円筒３６と飛沫避け部材３７）は、厚さ０．４ｍｍ以上のＡＢＳ樹脂で構成されている。また、制水部材３５の厚さは、経済産業省の「電気用品の技術上の基準を定める省令の解釈について」（http://www.meti.go.jp/policy/consumer/seian/denan/kaishaku201３４701.pdf）４２１ページの別表第８、１共通の事項、（７）二重絶縁構造、イ（ロ）（ｃ）の「外傷を受けるおそれのない部分に用いる絶縁物の厚さは、０．４ｍｍ以上であること。」を根拠としている。
【００３１】
電動機１３を構成する部品についての説明を続ける。図２に示すように、負荷側ブラケット１８には凹部３８が形成されている。そして、凹部３８には、負荷側ブラケット１８を上下に貫通する水抜き穴３９が開けられている。なお、凹部３８は負荷側ブラケット１８を平面視する場合に、つまりディスポーザ１をシンク２の上方から見る場合に回転子２１の回転中心を中心とする円環状をなしている。
【００３２】
反負荷側ブラケット１９の上面には、環状堤部４０が形成されている。環状堤部４０は、回転軸２２の外側を取り囲むように形成されていて、平面形において、回転子２１の回転中心を中心とする円環状をなしている。制水円筒３６の下端部３６ｂは、環状堤部４０の内側（回転軸２２に近い部位）にあって、環状堤部４０の上端より低い位置にある。固定子２０は、環状堤部４０の外側に配置されている。また、反負荷側ブラケット１９の、環状堤部４０の内側にある部位には、反負荷側ブラケット１９を上下に貫通する水抜き穴４１が開けられている。
【００３３】
最後に、ディスポーザ１の作用を説明する。前述したように、処理室ブラケット９の回転軸２２の回転軸２２が貫通する部位には回転軸シール２５が嵌装されているので、通常の場合、処理室１０内の水が漏れて、処理室ブラケット９の下方に落ちることはない。万一、回転軸シール２５の劣化や破損によって、処理室１０内の水が漏れて、処理室ブラケット９の下方に落ちて、電動機１３内に流入しても、以下に示すような経路を辿って、電動機１３の外に排出される。
【００３４】
回転軸シール２５に不具合が生じると、処理室１０内の水は電動機１３の回転軸２２を伝って処理室ブラケット９の下方に流れるが、回転軸２２には鍔部材２６が嵌着されているので、回転軸２２を伝って流れた水（以下、「漏水」と言う）は、回転軸２２から離れて、鍔部材２６の外縁端から落下して、凹部３８に流れる。そのため、漏水がベアリング２３に流入して、ベアリング２３内のグリースを洗い流すことがない。その結果、グリースの喪失に起因するベアリング２３の焼付きが防止される。
【００３５】
凹部３８に落下した漏水は、水抜き穴３９を通って、電動機１３（のハウジング）の内部に流入する。そのため、漏水が凹部３８に溜まることがない。凹部３８に溜まって、凹部３８から溢れた漏水がベアリング２３に流れて、ベアリング２３内のグリースを洗い流すことがない。その結果、グリースの喪失に起因するベアリング２３の焼付きが防止される。
【００３６】
水抜き穴３９を通って、電動機１３（のハウジング）の内部に流入した漏水は、回転子鉄心３２の上面に落下して、水抜き穴３４を通って、回転子鉄心３２に下方に流れ落ちる。なお、回転子鉄心３２の下方においては、回転軸２２に嵌装された鍔部材２７が、ベアリング２４を覆っているので、水抜き穴３４から流れ落ちた漏水がベアリング２４に流れて、ベアリング２４内のグリースを洗い流すことがない。その結果、グリースの喪失に起因するベアリング２４の焼付きが防止される。
【００３７】
水抜き穴３４から流れ落ちた漏水は、反負荷側ブラケット１９の上面の環状堤部４０で囲まれた部位に落下する。そして、かかる部位に落下した漏水は、水抜き穴４１を通って、反負荷側ブラケット１９の下方、つまり、電動機１３（のハウジング）の外部に排出される。電動機１３（のハウジング）の外部に排出された漏水は、水受け皿２９の中に一時的に貯留される。
【００３８】
さて、処理室１０からの漏水は、ディスポーザ１の運転中に生じる。ディスポーザ１の運転中においては、回転子２１は回転している。そのため、水抜き穴３９を通って、回転子鉄心３２の上面に落下した漏水が、遠心力で弾かれて飛沫が生じる。この飛沫は、回転子鉄心３２の上面と飛沫避け部材３７の下面の間で衝突を繰り返して、最終的には制水円筒３６の内面を伝って下方に流れて、反負荷側ブラケット１９の上面の環状堤部４０で囲まれた部位に流入する。そのため、水抜き穴３９を通って、回転子鉄心３２の上面に落下した漏水が、遠心力で弾かれて飛沫が生じても、飛沫が制水円筒３６の上端を越えて飛散して、固定子２０を濡らすことがない。また、水抜き穴３４から流れ落ちた漏水は、飛沫避け部材３７の制水円板３７ｂの上面を流れて、開口３７ｄを通って、回転子鉄心３２の上面に落ちる。そのため、漏水は、飛沫避け部材３７（制水円板３７ｂ）を備えない場合に比べて、回転子鉄心３２の回転中心に近い位置に落下する。回転子鉄心３２の回転中心に近い位置では、回転中心から遠い位置に比べて漏水に加わる遠心力が小さくなるので、飛沫の発生が抑制される。
【００３９】
以上説明したように、本実施形態に係る電動機１３は、固定子２０と回転子２１の間に制水円筒３６を備えるので、電動機１３の上面から侵入した漏水は、制水円筒３６の内側を通って、電動機１３の下部に流れて、電動機１３の下方に排出される。そのため、電動機１３の上面から侵入した漏水が、固定子２０を濡らすことがない。電動機１３の上面から侵入した漏水が回転中の回転心鉄心３２に弾かれて飛沫が生じても、飛沫避け部材３７が飛沫の飛散を防ぐので、飛沫が固定子２０を濡らすことがない。このように、電動機１３の上面から漏水が侵入しても、漏水が固定子２０に直接流れることがないし、漏水が回転心鉄心３２に弾かれて生じた飛沫が固定子２０に向けて飛散することがない。そのため、電動機１３に漏水が生じても、故障が発生しにくい。ディスポーザ１は、回転軸シール２５が破損しても、故障が発生しにくい。
【００４０】
なお、上記の実施形態は、本発明の具体的実施態様の一例を示すものであって、本発明の技術的範囲を画すものではない。本発明は特許請求の範囲に記述された技術的思想の限りにおいて、自由に変形、応用あるいは改良して実施することができる。
【００４１】
上記実施形態においては、制水円筒３６に飛沫避け部材３７を取り付けて、制水部材３５を構成する例を示したが、制水円筒３６は、このような２材を組み合わせて構成されるものには限定されない。制水部材３５は１材で構成されていても良い。例えば、制水円筒３６の内部に制水円板３７ｂが一体成形されていても良い。また、制水部材３５を２材で構成する場合、飛沫避け部材３７は、上記実施形態で例示したような、接続円筒部３７ａと制水円板３７ｂを備えるものには限定されない。飛沫避け部材３７は制水円板３７ｂだけを備えていても良い。つまり、制水円筒３６に制水円板３７ｂを接着固定して、制水部材３５を構成するようにしても良い。
【００４２】
上記実施形態で示された制水部材３５（制水円筒３６、飛沫避け部材３７）の具体的な形状は、例示であって、制水部材３５の形状は、上記実施形態によっては限定されない。制水部材３５の形状は、任意に設計することができる。特に、制水円筒３６の直径の変化や、上端部３６ａと下端部３６ｂの折り曲げは任意の構成要素である。
【００４３】
上記実施形態で示された制水部材３５（制水円筒３６、飛沫避け部材３７）の素材は例示であって、制水部材３５の素材は、上記実施形態によっては限定されない。制水部材３５の素材は、任意に選択できる。
【００４４】
なお、本発明に係る電動機は、電力が供給される固定子と、電力が供給されない回転子を備える電動機であれば十分であり、動作原理によっては限定されない。本発明に係る電動機は、永久磁石同期電動機であっても、誘導電動機（かご形、巻線形の別を問わない）であっても良いし、いわゆるブラシレスモータであっても良い。また、本発明に係る電動機は交流機には限定されない。直流機（回転子に永久磁石を備えるＤＣブラシレスモータ）であっても良い。
【００４５】
上記実施形態で示された、ディスポーザ１の構成や形状は例示である。本発明に係るディスポーザは上記実施形態によっては限定されない。本発明に係るディスポーザは、目的や用途に応じて任意に設計できる。
【００４６】
上記実施形態においては、ディスポーザ１に水受け皿２９を備える例を示したが、本発明において、水受け皿２９は任意の構成要素である。ディスポーザ１は水受け皿２９を備えなくても良い。例えば、水抜き穴４１から排出された漏水を、ディスポーザ１の設置場所の床面に直接落とすようにしても良い。あるいは、水抜き穴４１から排出された漏水を図示しない排水管に導くホースを備えても良い。また、水受け皿２９に漏水を検出するセンサを備えて、該センサが漏水を検出した場合に外部にアラームを送出するようにしても良い。
【符号の説明】
【００４７】
１  ディスポーザ
２  シンク
３  取付フランジ
４  連結管
５  ディスポーザ本体
６  ナット
７  バンド
８  処理室カバー
９  処理室ブラケット
１０  処理室
１１  固定歯
１２  回転歯
１３  電動機
１４  排出管
１５  ボルト
１６  ナット
１７  フレーム
１８  負荷側ブラケット
１９  反負荷側ブラケット
２０  固定子
２１  回転子
２２  回転軸
２３  ベアリング
２４  ベアリング
２５  回転軸シール
２６  鍔部材
２７  鍔部材
２８  電動機カバー
２９  水受け皿
３０  固定子鉄心
３１  巻線
３２  回転子鉄心
３３  永久磁石
３４  水抜き穴
３５  制水部材
３６  制水円筒
３６ａ  上端部
３６ｂ  下端部
３７  飛沫避け部材
３７ａ  接続円筒部
３７ｂ  制水円板
３７ｃ  上端
３７ｄ  開口
３８  凹部
３９  水抜き穴
４０  環状堤部
４１  水抜き穴
【図１】
2018007504.tif 000003
【図２】
2018007504.tif 000004
【図３】
2018007504.tif 000005
【図４】
2018007504.tif 000006
【手続補正書】
【提出日】平成29年11月17日(2017.11.17)
【手続補正１】
【補正対象書類名】明細書
【補正対象項目名】０００８
【補正方法】変更
【補正の内容】
【０００８】
上記課題を解決するため、本発明に係る電動機は、ケーシングと、前記ケーシングの上部に配置された負荷側ブラケットと、前記ケーシングの下部に配置された反負荷側ブラケットと、前記ケーシングの内部に固定された固定子と、前記ケーシングの内部において、前記固定子の内側に配置されて、前記負荷側ブラケットと前記反負荷側ブラケットに回転自在に支持されて、垂直軸回りに回転する回転子と、前記固定子と前記回転子の間に配置されて、前記ケーシングの内部に侵入した漏水が前記固定子を濡らすことを防ぐ制水部材を備える電動機であって、前記制水部材は、前記固定子と前記回転子の間に配置された、前記回転子の回転中心を中心軸とする制水円筒と、前記負荷側ブラケットの下方にあって、前記回転子の上方を覆うとともに、中心部に前記回転子の回転軸を通す開口を有し、外径部が、前記制水円筒の内面に水密に接続されている制水円板を備えるとともに、さらに、前記負荷側ブラケットを上下に貫く上部水抜き穴と、前記反負荷側ブラケットを上下に貫く下部水抜き穴と、を備え、前記上部水抜き穴と前記下部水抜き穴は、平面形において、前記制水円筒の内側に配置されているものである。
【手続補正２】
【補正対象書類名】明細書
【補正対象項目名】００１０
【補正方法】変更
【補正の内容】
【００１０】
本発明に係る電動機は、ケーシングと、前記ケーシングの内部に固定された固定子と、前記ケーシングの内部において、前記固定子の内側に配置されて、垂直軸回りに回転する回転子と、前記固定子と前記回転子の間に配置されて、前記ケーシングの内部に侵入した漏水が前記固定子を濡らすことを防ぐ制水部材を備える電動機であって、前記制水部材は、前記固定子と前記回転子の間に配置された、前記回転子の回転中心を中心軸とする制水円筒と、前記回転子の上方を覆うとともに、中心部に前記回転子の回転軸を通す開口を有し、外径部が、前記制水円筒の内面に水密に接続されている制水円板を備えるとともに、前記制水円板は、前記外径部から前記開口に向かって下る円錐状傾斜面を備えているものである。
【手続補正３】
【補正対象書類名】特許請求の範囲
【補正対象項目名】全文
【補正方法】変更
【補正の内容】
【特許請求の範囲】
【請求項１】
ケーシングと、
前記ケーシングの上部に配置された負荷側ブラケットと、
前記ケーシングの下部に配置された反負荷側ブラケットと、
前記ケーシングの内部に固定された固定子と、
前記ケーシングの内部において、前記固定子の内側に配置されて、前記負荷側ブラケットと前記反負荷側ブラケットに回転自在に支持されて、垂直軸回りに回転する回転子と、
前記固定子と前記回転子の間に配置されて、前記ケーシングの内部に侵入した漏水が前記固定子を濡らすことを防ぐ制水部材を備える電動機であって、
前記制水部材は、
前記固定子と前記回転子の間に配置された、前記回転子の回転中心を中心軸とする制水円筒と、
前記負荷側ブラケットの下方にあって、前記回転子の上方を覆うとともに、中心部に前記回転子の回転軸を通す開口を有し、外径部が、前記制水円筒の内面に水密に接続されている制水円板を備えるとともに、
さらに、前記負荷側ブラケットを上下に貫く上部水抜き穴と、
前記反負荷側ブラケットを上下に貫く下部水抜き穴と、を備え、
前記上部水抜き穴と前記下部水抜き穴は、平面形において、前記制水円筒の内側に配置されている、
電動機。
【請求項２】
前記制水円板の前記開口の直径は、前記ケーシングの上部に取り付けられて前記回転子の回転軸を軸支する軸受の外径よりも小さい、
請求項１に記載の電動機。
【請求項３】
ケーシングと、
前記ケーシングの内部に固定された固定子と、
前記ケーシングの内部において、前記固定子の内側に配置されて、垂直軸回りに回転する回転子と、
前記固定子と前記回転子の間に配置されて、前記ケーシングの内部に侵入した漏水が前記固定子を濡らすことを防ぐ制水部材を備える電動機であって、
前記制水部材は、
前記固定子と前記回転子の間に配置された、前記回転子の回転中心を中心軸とする制水円筒と、
前記回転子の上方を覆うとともに、中心部に前記回転子の回転軸を通す開口を有し、外径部が、前記制水円筒の内面に水密に接続されている制水円板を備えるとともに、
前記制水円板は、前記外径部から前記開口に向かって下る円錐状傾斜面を備えている、
電動機。
【請求項４】
前記制水円筒の上端は、前記固定子の上端よりも高い位置にある、
請求項１ないし請求項３のいずれか一項に記載の電動機。
【請求項５】
前記制水円筒の下端は、前記固定子の下端よりも低い位置にある、
請求項１ないし請求項４のいずれか一項に記載の電動機。
【請求項６】
前記制水部材は、絶縁材料で構成されている、
請求項１ないし請求項５のいずれか一項に記載の電動機。
【請求項７】
請求項１ないし請求項６のいずれか一項に記載の電動機を備えて、該電動機で駆動される、
ディスポーザ。